(57)【要約】【課題】じゅうたんの毛の奥の塵埃などを吸引する高い吸引力を有するとともに，長手方向全面において吸込具後方にある塵埃や米粒等の比較的大きな塵埃を吸込むことのできる使い勝手の良い電気掃除機の吸込具及びこれを備えた電気掃除機を提供する。【解決手段】清掃面と平行な回転軸を有する回転清掃体と、前記回転軸と平行な出力軸を有し、前記回転清掃体を回転駆動する電動機と、前記電動機を制御する制御基板と、前記回転軸と平行な軸を有し，前記清掃面と接する略扇柱形状の回動清掃体と，前記回転清掃体及び前記回動清掃体が配置される吸込室と、前記吸込室の上方に配置されて前記電動機および前記制御基板を収容する収容室とに区画する隔壁を有する吸口ケースとを備え、前記回動清掃体は，被掃除面Ｍと吸口ケース１０の両方と接触する状態から，吸口ケース１０とは接触せず被掃除面Ｍとのみ接触する状態の間で回動する。【選択図】図５
2017189269.tif 000002
【特許請求の範囲】
【請求項１】
清掃面と平行な回転軸を有する回転清掃体と、前記回転清掃体を回転駆動する電動機と、前記電動機を制御する制御基板と、前記回転軸と平行な軸を有し，
前記清掃面と接する回動清掃体と，前記回転清掃体及び前記回動清掃体が配置される吸込室と、前記吸込室の上方に配置されて前記電動機および前記制御基板を収容する収容室とに区画する隔壁を有する吸口ケースとを備え、
前記回動清掃体は，被掃除面Ｍと吸口ケース１０の両方と接触する状態から，吸口ケース１０とは接触せず被掃除面Ｍとのみ接触する状態の間で回動することを特徴とする電気掃除機の吸込具。
【請求項２】
吸口ケースと、該吸口ケースに軸支される回動清掃体を有し、
該回動清掃体は、回動清掃体の清掃面が被清掃面と吸口ケースの両方と接触する状態と、回動清掃体の清掃面が被清掃面のみと接触する状態と、の間で回動する電気掃除機の吸込具。
【請求項３】
前記回動清掃体は，略扇柱形状の側面の全部または一部を省略し，軸部，底面，円弧面で構成されていることを特徴とする請求項１又は請求項２に記載の電気掃除機の吸込具。
【請求項４】
前記回動清掃体は，前記吸口ケースに支持され回動中心となる軸が，前記回動清掃体の一端から他端まで連続しておらず，略扇柱形状の底面に固定または一体化されており，前記吸口ケースに回動自在に支持されるための十分な長さを有することを特徴とする請求項１乃至請求項３の何れか１項に記載の電気掃除機の吸込具。
【請求項５】
前記回動清掃体は，前記清掃面との接触面(円弧面)が刷毛部材で構成されることを特徴とする請求項１乃至請求項４の何れか１項に記載の電気掃除機の吸込具
【請求項６】
前記回動清掃体は，前記清掃面との接触面(円弧面)の全部または一部がゴムやエラストマなどの軟質部材で構成されることを特徴とする請求項１乃至請求項５の何れか１項に記載の電気掃除機の吸込具。
【請求項７】
吸引力を発生する電動送風機、および塵埃を集塵する集塵部を有する掃除機本体と、前記掃除機本体と接続される請求項１乃至請求項６の何れか１項に記載の電気掃除機の吸込み具を備えた電気掃除機。
【発明の詳細な説明】
【技術分野】
【０００１】
本発明は、電気掃除機の吸込具及びこれを備えた電気掃除機に関する。
【背景技術】
【０００２】
電気掃除機の吸込具において，高い吸引力と，吸込具の後方にある塵埃や米粒等比較的大きな塵埃を吸込むことが出来る使い勝手の良さと、が求められている。
【０００３】
特許文献１には，床面との摩擦で一定の角度で回動するよう，長手方向の一部が断面Ｄ字形状となっている円筒状清掃体が設けられた電気掃除機の吸込具が記載されている。
【先行技術文献】
【特許文献】
【０００４】
【特許文献１】特開2004-121409号公報
【発明の概要】
【発明が解決しようとする課題】
【０００５】
しかしながら特許文献１に記載の電気掃除機の吸込具は、円筒状清掃体が床面との摩擦で回動する構造となっており，長手方向の一部の断面が円形状でなくてはならず，この部分で塵埃を吸込めず床面上を引きずってしまうという課題がある。
【０００６】
本発明の目的は，高い吸引力を有するとともに，長手方向全面において吸込具後方にある塵埃や米粒等の比較的大きな塵埃を吸込むことのできる使い勝手の良い電気掃除機の吸込具及びこれを備えた電気掃除機を提供することにある。
【課題を解決するための手段】
【０００７】
本発明は、清掃面と平行な回転軸を有する回転清掃体と、前記回転清掃体を回転駆動する電動機と、前記電動機を制御する制御基板と、前記回転軸と平行な軸を有し，前記清掃面と接する回動清掃体と，前記回転清掃体及び前記回動清掃体が配置される吸込室と、前記吸込室の上方に配置されて前記電動機および前記制御基板を収容する収容室とに区画する隔壁を有する吸口ケースとを備え、前記回動清掃体は，被掃除面Ｍと吸口ケース１０の両方と接触する状態から，吸口ケース１０とは接触せず被掃除面Ｍとのみ接触する状態の間で回動することを特徴とする。
【発明の効果】
【０００８】
本発明によれば、高い吸引力を有するとともに，長手方向全面において吸込具後方にある塵埃や米粒等の比較的大きな塵埃を吸込むことのできる使い勝手の良い電気掃除機の吸込具及びこれを備えた電気掃除機を提供することができる。
【図面の簡単な説明】
【０００９】
【図１】本発明に係る電気掃除機の全体を示す外観斜視図である。
【図２】第１の実施例の吸込具の上面図である。
【図３】第１の実施例の吸込具の下面図である。
【図４】第１の実施例の吸込具に設けられる回動清掃体の外観斜視図である。
【図５】図２に記載の吸込具の前進時のＢ−Ｂ断面図である。
【図６】図２に記載の吸込具の後退時のＡ−Ａ断面図である。
【図７】実施例１の吸込具の吸口ケースの上側部分を取り外した状態の上面図である。
【図８】図２に記載の吸込具の前進時のＡ−Ａ断面図である。
【図９】第２の実施例の吸込具に設けられる回動清掃体の外観斜視図である。
【図１０】第２の実施例の吸込具の後退時のＡ−Ａ断面図である。
【図１１】第３の実施例の吸込具に設けられる回動清掃体の外観斜視図である。
【図１２】第３の実施例の吸込具の前進時のＡ−Ａ断面図である。
【発明を実施するための形態】
【実施例１】
【００１０】
以下、本発明に係る第１の実施例について図面を参照して説明する。
【００１１】
図１に本発明の第１の実施例に係る電気掃除機の外観図を示す。電気掃除機１は、掃除機本体２と、ホース部３と接続し手元操作スイッチＳＷ等が設けられた操作管４と、伸縮自在に設けられた延長管５と、吸込具６とで構成されている。
【００１２】
掃除機本体２は、吸引力を発生させる電動送風機２ａ、この電動送風機２ａの吸引力で集塵した塵埃を収容する集塵部２ｂなどを備えている。なお、本実施例では、いわゆるサイクロン式の電気掃除機を例に挙げて説明するが、吸引力発生手段を備えていれば、いわゆる紙パック式などの他の形態の電気掃除機に適用してもよい。
【００１３】
ホース部３の一端は、掃除機本体２の集塵部２ｂと連通するように掃除機本体２の接続口２ｃに接続されている。また、ホース部３の他端は、操作管４の一端に接続されている。
【００１４】
操作管４は、手元操作スイッチＳＷなどを備えたハンドル４ａ、掃除機本体２から給電される図示しない給電端子などを備えている。この給電端子には、延長管５の一端に設けられる図示しない通電端子が接続される。
【００１５】
操作管４の手元操作スイッチＳＷを操作することによって、電動送風機２ａの運転と停止や強中弱の切り替え、吸込具６に設けられた電動機４０（図７参照）の運転と停止など可能となっている。
【００１６】
延長管５は、外管５ａと内管５ｂとを備え、外管５ａの他端部に内管５ｂの一端部が挿入されて外管５ａと内管５ｂとの内側に設けられた図示しない通風路が連通するように連結されて、伸縮自在に構成されている。なお、図１は、延長管５が最短の状態を図示している。
【００１７】
図２は、吸込具の上面図である。
【００１８】
図２に示すように、吸込具６は、上面視において略Ｔ字形状を呈する吸口ケース１０と、吸口ケース１０に連結される吸口継手１３とを備えている。
【００１９】
吸口ケース１０は、上面視において、左右方向（幅方向）に細長く形成された吸口本体部１１と、吸口本体部１１の左右方向の中央部に吸口継手１３と連結される連結部１２とを備えている。連結部１２には、吸口本体部１１と吸口継手１３とを連通させる流路Ｒ（図３参照）が形成されている。
【００２０】
吸口本体部１１は、前端面から左右側面にかけてバンパ１１ａが，吸口本体部１１の上側を構成する上側ケース１１ｂ及び下側を構成する下側ケース１１ｃに挟み込まれる形で設けられている。また，バンパ１１ａは下側ケース１１ｃにツメにより係止されていてもよい。バンパ１１ａは、ゴムやエラストマ等の弾性材料から形成されており、使用時に吸口本体部１１内の気密を確保するとともに、電気掃除機１（図１参照）の使用時に吸口本体部１１が家具等に衝突した際に、当該家具等への傷付き防止と吸口本体部１１への衝撃を吸収する緩衝材の役割を果たしている。
【００２１】
吸口継手１３は、連結部１２に対して回動自在に連結される第１連結部１４と、この第１連結部１４に対して回動自在に連結される第２連結部１５とを備えている。
【００２２】
第１連結部１４は、図２の上面視において略半トラック形状を呈し、連結部１２と連結される円筒形状の軸１４ａを有している。この軸１４ａは、軸方向が吸口本体部１１の左右方向であって、軸１４ａの両端部が連結部１２に形成された軸受部１２ｇ（図７参照）に支持されている。また、第１連結部１４は、被掃除面（清掃面）Ｍ（図５参照）に対して略平行な状態から略垂直な状態まで（上下方向に）回動可能となるように構成されている。すなわち、第１連結部１４を吸口ケース１０に対して軸１４ａを支点として回動させることによって、延長管５（図１参照）を被掃除面Ｍ（図５参照）に略平行な状態と略垂直な状態との間において回動させることができる。
【００２３】
第２連結部１５は、第１連結部１４に対して吸口本体部１１の左右方向に（図２の紙面時計回り方向および反時計回り方向に）回動可能となるように構成されている。これにより、例えば、延長管５を被掃除面Ｍに対して略垂直にした状態から、延長管５を被掃除面Ｍに略平行な状態に向けて倒すことができる。
【００２４】
また、第２連結部１５には、給電が行われる給電端子１５ａが設けられている。なお、本実施例の電気掃除機１（図１参照）では、吸込具６に給電する電力を、掃除機本体２からホース部３、操作管４、延長管５を通じて供給するように構成している。
【００２５】
このような吸口継手１３は、例えば延長管５（図１参照）を被掃除面Ｍに対して略垂直とした状態において、その延長管５を左右方向（左右方向）に倒して、操作管４（グリップ４ａ）を左右方向のいずれかにねじることで、吸口本体部１１を左右方向のいずれかに略９０度回転させ、吸口本体部１１の左右方向を移動方向にした掃除が可能である。したがって、壁際に沿って吸込具６を移動させて掃除したり、狭い隙間に吸込具６を挿入したりして掃除することが可能になる。
【００２６】
図３は、吸込具の下面図である。
【００２７】
図３に示すように、吸込具６は、回転清掃体２０、回動清掃体３０を備えている。吸口ケース１０（吸口本体部１１）には、下面（清掃面に対峙する面）に開口部を有するブラシ室Ｑと、同じく下面に開口部（吸込口）を有する気密室Ｐとが形成されている。
【００２８】
回転清掃体２０は、吸口本体部１１の左右方向に沿って前後方向の前側に配置され、ブラシ室Ｑ内に回転可能に支持されている。また、回転清掃体２０は、吸口本体部１１の左右方向（回転清掃体２０の軸方向）の一端側から他端側まで連続して設けられており、モータ４０（図７参照）によって駆動される（詳細は後述）。モータ４０は、操作管４（図１参照）の手元操作スイッチＳＷによって、「運転」と「停止」を選択でき、「運転」が選択された場合には、回転清掃体２０がモータ４０によって駆動され、気密保持作用、ゴミの搬送作用に加えて、操作力軽減作用、清掃面の塵埃掻き上げ作用、磨き（拭き）作用などが得られる。
【００２９】
回転清掃体２０は、硬さが異なるブラシなど複数種類のブラシ２０ａ、２０ｂ、を備え、各ブラシ２０ａ、２０ｂがらせん状に配設されている。なお、本実施形態では、２種類のブラシ２０ａ、２０ｂを配設した場合を例に挙げて説明したが、これに限定されるものではなく、３種類以上であってもよく、らせん状に配置されたブラシ間にゴムなどの弾性材料からなるブレード部材をらせん状に配置する構成を追加してもよく、適宜変更することができる。
【００３０】
吸込具６は、吸口ケース１０の連結部１２の下面に、ブラシ駆動スイッチ１６、車輪１７、軸受押え部材３１、３２を備えている。
【００３１】
ブラシ駆動スイッチ１６は、吸込具６の下面が被掃除面Ｍに接触しているか否かを検出するスイッチであり、車輪１６ａとともに構成されている。この車輪１６ａは、ばね等の付勢手段によって常に吸口ケース１０（連結部１２）の下面から一部が突出するように設けられている。そして、車輪１６ａが吸口ケース１０から飛び出して被掃除面Ｍと接触していないと検出されたときには、回路基板５０（制御基板）（図７参照）の制御によって電動機４０（図７参照）の駆動が停止され、回転清掃体２０の回転が停止する。また、車輪１６ａが押し込まれて被掃除面Ｍと接触していると検出されたときには、回路基板５０の制御によって電動機４０が駆動され、回転清掃体２０が回転する。
【００３２】
車輪１７は、操作管４で操作される前後動や回転操作の応力を受けて吸込具６の底面を被掃除面Ｍに密着させ、これにより吸込具６の操作性能を向上する役割を有している。
【００３３】
軸受押え部材３１は、回転清掃体２０の回転軸および回動清掃体３０の軸部３０ａの一端を支持するものであり、吸口ケース１０にねじを用いて固定されている。
【００３４】
軸受押え部材３２は、回転清掃体２０の回転軸および回動清掃体３０の軸部３０ａの他端を支持するものであり、取り外し可能となるように吸口ケース１０にロック機構（図示せず）を用いて固定されている。
【００３５】
図４は，回動清掃体３０の外観斜視図である。回動清掃体３０は、略扇柱形状であり，軸部３０ａ，略扇形状の底面３０ｂ，側面３０ｃ，円弧面３０ｄから構成されている。また，回動清掃体３０は、回転清掃体２０に対して後方且つ平行に，かつ，軸部３０ａが吸口ケース１０に対し一定の角度間で回動可能に支持されている(図５)。一定の角度間とは，円弧面（清掃面）３０ｄが被掃除面Ｍと吸口ケース１０の下側ケース１１ｃと、の両方と接触する状態(角度)から，吸口ケース１０とは接触せず被掃除面Ｍとのみ接触する状態(角度)の間である。
【００３６】
図５は，図２におけるＢ−Ｂ断面図であり，吸込具の前進時の状態を示している。吸込具６の前進時，回動清掃体３０は床面（被掃除面Ｍ）との摩擦により図５のように円弧面（清掃面）３０ｄが。被掃除面Ｍと吸口ケース１０の下側ケース１１ｃと、の両方と接触する状態となる。これにより，気密室Ｐ内部の圧力(負圧)が向上し，吸引力の向上が図れる。
【００３７】
図６は，図２におけるＡ-Ａ断面図であり，吸込具の後退時の状態を示している。吸込具６の後退時，回動清掃体３０は床面（被掃除面Ｍ）との摩擦により図６のように円弧面（清掃面）３０ｄが吸口ケース１０の下側ケース１１ｃとは接触せずに被掃除面Ｍとのみ接触する状態となり，下側ケース１１ｃと吸込流路Ｕを形成する。これにより，吸込具６の後退時，吸込具６の後方の塵埃や米粒等の比較的大きな塵埃を、吸込流路Ｕを通じて吸込具６の内部に取り込むことができる。
【００３８】
本実施例では略扇柱形状の回動清掃体６としたがこれに限られるものではない。回動清掃体は、吸口本体部１１との支持に用いる軸部と、床面と接触する接触部（清掃面）と、軸部と接触部とをつなぐ支持部と、を有する構造であれば良い。例えば、柱形状や筒形状の構造があげられる。回動清掃体の断面には、例えば、扇形や多角形があげられる。なお、回動清掃体は、略Ｔ字形状の構造でもよい。接触部は、円弧形状でも多角形状でも良い。
【００３９】
図７は、吸込具の吸口ケース１０の上側部分を取り外した状態の上面図である。図７に示すように、吸込具６は、回転清掃体２０および回動清掃体３０の上方に、回転清掃体２０を駆動する電動機４０および電動機４０を制御する回路基板５０を備えている。
【００４０】
電動機４０は、吸口本体部１１の左右方向の一端側に取り付けられている。また、電動機４０は、その出力軸が吸口本体部１１の左右方向と平行に配置されている。また、電動機４０の出力軸は、左右方向の一端側に向けて延び、吸口本体部１１内の一端部（図示右側の端部）において、歯付きベルト４１を介して回転清掃体２０と連結されている。
【００４１】
回路基板５０は、吸口本体部１１の左右方向で電動機４０とは反対側に取り付けられている。また、回路基板５０は、長辺が左右方向に沿って配置された長方形状の基板を有し、実装面が鉛直方向上向きの状態で吸口本体部１１内に配置されている。なお、実装面は、必ずしも鉛直方向上向きに限定されず、水平方向に対して傾斜してもよく、前後方向を向くように（縦向きに）してもよい。
【００４２】
図７中に矢印で示すように、モータ収納室Ｓ内には外気（大気圧）と吸口本体部１１と吸口継手１３とを連通させる流路Ｒ(図３参照)内の圧力（負圧）の差圧により気流が形成される。具体的には、吸口本体部１１の前方の左右２箇所の吸引口９１から外気が流入し、図７中に図示しないフィルター部を経て、モータ４０部を流れ、吸口継手１３の第一連結部１４に設けられた開口１４ｂから流路Ｒ内に流入する。この気流によりモータ４０の駆動に伴う発熱が良好に冷却される。尚、本実施形態例の吸込具６では、モータ収納室Ｓ内にはモータ４０とともに回路基板５０も備えられているが、回路基板５０の発熱は比較的小さいため、気流を回路基板５０側に誘導する流路構造を有してはいないが、回路基板５０の発熱（温度上昇）が大きい場合、回路基板５０側にも気流を導き、モータ４０とともに回路基板５０も冷却する構造としてもよい。
【００４３】
図８は、図２におけるＡ−Ａ断面図である。図８に示すようにブラシ室Ｑの後方には、気密室Ｐ内に気流を放出させるノズル７１が備えられており、ノズル開口７１aは下方（被掃除面Ｍ）に向けて開口している。気密室Ｐ内（負圧）と外気（大気圧）との差圧により、吸引口７０、空間Ｔを経てノズル７１に気流が流れ込み、ノズル開口７１aから被掃除面Ｍに向けて高速気流が放出される。尚、吸引口７０の上辺は、取り外し可能なカバー体９５の前縁９５aにより形成されており，これにより、上方から水などの液体等がかかった場合であっても、空間Ｔやノズル７１に液体が侵入することを防止できる。また、カバー体９５は取り外し可能なので、清掃時にカバー体９５を取り外すことで清掃がしやすくなる。
【００４４】
尚、ノズル７１は前方隔壁６５と一体に形成されており、静圧差による前方隔壁６３の変形を抑制するようにしている。
【００４５】
本発明は、前記した実施形態に限定されるものではなく、本発明の趣旨を逸脱しない範囲において適宜変更することができる。
【００４６】
（第２実施形態）
図９は、本発明の第２実施形態に係る回動清掃体３０Ａの外観斜視図である。第２実施形態に係る電気掃除機１の吸込具６Ａは、回動清掃体３０に替えて回動清掃体３０Ａとした構成である。なお、第２実施形態において、第１実施形態と同様の構成については同一の符号を付して重複した説明を省略する。
【００４７】
図９に示すように，回動清掃体３０Ａは，第１の実施例でいうところの側面３０ｃを省略しており，軸部３０ａ，底面３０ｂ，円弧面３０ｄで構成されている。
【００４８】
図１０は，第２実施形態の吸込具のＡ-Ａ断面図であり，第２実施形態における吸込具６Ａの後進時の状態を示している。第２実施形態によれば，吸込具６Ａの後進時に下側ケース１１ｃと回動清掃体３０Ａが形成する吸込流路Ｕの面積が第１の実施例よりも大きくとれ，より大きな塵埃を吸込具６Ａ内に取り込むことが出来る。具体的には、軸部３０ａと円弧面３０ｄの間の空間も吸込流路Ｕの一部となる。
【００４９】
また，側面３０ｃが無い分、第１の実施例よりも吸込具の軽量化が図れ，掃除時の手元にかかる荷重を軽減することが出来る。
【００５０】
尚，図９においては回動清掃体３０Ａの側面３０ｃは全面省略したが，一部を省略した形状としてもよい。
【００５１】
（第３実施形態）
図１１は、本発明の第３実施形態に係る回動清掃体３０Ｂの外観斜視図である。第３実施形態に係る電気掃除機１の吸込具６Ｂは、回動清掃体３０に替えて回動清掃体３０Ｂとした構成である。なお、第３実施形態において、第１実施形態と同様の構成については同一の符号を付して重複した説明を省略する。
【００５２】
図１１に示すように，回動清掃体３０Ｂでは，前記吸込具ケースに支持され回動中心となる軸部３０ａ´が，前記回動清掃体３０Ｂの一端から他端まで連続しておらず，底面３０ｂに固定または一体化されており，前記吸込具ケース１０に支持され容易に外れないための十分な長さを有する。
【００５３】
これにより、吸込流路Ｕの面積が第１、第２の実施例よりも大きくとれ，より大きな塵埃を吸込具６Ｂ内に取り込むことが出来るとともに，気密室Ｐの流路断面積Ｓp(図１２参照)が大きくなることで気密室Ｐ内部の圧力を均一化できる。また，軸部が短くなる分、第２の実施例よりも吸込具の軽量化が図れ，掃除時の手元にかかる荷重を軽減することが出来る。
【００５４】
なお、第１〜第３の実施形態に記載の回動清掃体の円弧面を刷毛部材で構成しても良い。その場合、回動清掃体３０Ｃは被掃除面Ｍと刷毛部材により接触するため，被掃除面Ｍを傷つけることが無い。また，刷毛部材は被掃除面Ｍや吸込具ケース１０との摩擦により摩耗することが無いため，回動清掃体３０Ｃの摩耗による吸込力の低下を防止することができる。
【００５５】
なお、第１〜第３の実施形態に記載の回動清掃体の円孤面３０ｄの全部または一部がゴムやエラストマ等の軟質部材で構成しても良い。その場合、回動清掃体３０Ｄは被掃除面Ｍと軟質部材により接触するため，被掃除面Ｍを傷つけること無く，確実に吸込具内部の気密漏れを防ぎ圧力を向上させることができる。
【符号の説明】
【００５６】
１      電気掃除機
２      掃除機本体
２ａ    電動送風機
２ｂ    集塵部
６、６Ａ、６Ｂ    吸込具
１０    吸口ケース
２０    回転清掃体
３０、３０Ａ、３０Ｂ    回動清掃体
４０    電動機
５０    回路基板（制御基板）
６５    前方隔壁
７１    ノズル
９５    カバー体
Ｍ      被掃除面（床面）
Ｑ      ブラシ室
Ｐ      気密室
【図１】
2017189269.tif 000003
【図２】
2017189269.tif 000004
【図３】
2017189269.tif 000005
【図４】
2017189269.tif 000006
【図５】
2017189269.tif 000007
【図６】
2017189269.tif 000008
【図７】
2017189269.tif 000009
【図８】
2017189269.tif 000010
【図９】
2017189269.tif 000011
【図１０】
2017189269.tif 000012
【図１１】
2017189269.tif 000013
【図１２】
2017189269.tif 000014